(57)【要約】【課題】透視二重像を低減する好適な楔角を有するガラスを備えた合わせガラスを提供する。【解決手段】本合わせガラスは、第１のガラス板と、第２のガラス板と、前記第１のガラス板と前記第２のガラス板との間に位置して前記第１のガラス板と前記第２のガラス板とを接着する中間膜と、を備えた合わせガラスであって、ヘッドアップディスプレイで使用する第１領域と、前記第１領域に隣接するヘッドアップディスプレイで使用しない第２領域と、を有し、前記第１のガラス板と前記第２のガラス板の一方又は双方は楔状のガラスであり、前記第２領域の少なくとも一部の領域は、ＪＩＳ規格Ｒ３２１２で規定する試験領域Ａに相当する領域であり、前記試験領域Ａに相当する領域の各点において、前記第１のガラス板の楔角と前記第２のガラス板の楔角とを合算した楔角δｇが０．３［ｍｒａｄ］以上１．２［ｍｒａｄ］以下であり、所定の式を満足する。【選択図】図３
2018193299.tif 000002
【特許請求の範囲】
【請求項１】
第１のガラス板と、第２のガラス板と、前記第１のガラス板と前記第２のガラス板との間に位置して前記第１のガラス板と前記第２のガラス板とを接着する中間膜と、を備えた合わせガラスであって、
ヘッドアップディスプレイで使用する第１領域と、前記第１領域に隣接するヘッドアップディスプレイで使用しない第２領域と、を有し、
前記第１のガラス板と前記第２のガラス板の一方又は双方は楔状のガラスであり、
前記第２領域の少なくとも一部の領域は、ＪＩＳ規格Ｒ３２１２で規定する試験領域Ａに相当する領域であり、
前記試験領域Ａに相当する領域の各点において、前記第１のガラス板の楔角と前記第２のガラス板の楔角とを合算した楔角δｇが０．３［ｍｒａｄ］以上１．２［ｍｒａｄ］以下であり、以下の式（１）を満足することを特徴とする合わせガラス。
【数１】
2018193299.tif 000007
但し、ｔは合わせガラスの厚さ、Ｒは合わせガラスの局所曲率半径、ｎは合わせガラスの屈折率、φは合わせガラスに入射する光線の局所入射角、ηは透視二重像の目標角度であり前記少なくとも一部の領域の各点の１点以上で０＜｜η｜となる値であって−９＜η＜９［分］、δｃは楔角の補正値であり０．０５＜δｃ＜０．３［ｍｒａｄ］、δｉは中間膜の楔角でありδｉ≦０．２［ｍｒａｄ］、である。
【請求項２】
第１のガラス板と、第２のガラス板と、前記第１のガラス板と前記第２のガラス板との間に位置して前記第１のガラス板と前記第２のガラス板とを接着する中間膜と、を備えた合わせガラスであって、
ヘッドアップディスプレイで使用する第１領域と、前記第１領域に隣接するヘッドアップディスプレイで使用しない第２領域と、を有し、
前記第１のガラス板と前記第２のガラス板の一方又は双方は楔状のガラスであり、
前記第２領域の少なくとも一部の領域は、ＪＩＳ規格Ｒ３２１２で規定する試験領域Ｂに相当する領域であり、
前記試験領域Ｂに相当する領域の各点において、前記第１のガラス板の楔角と前記第２のガラス板の楔角とを合算した楔角δｇが０．３［ｍｒａｄ］以上１．２［ｍｒａｄ］以下であり、以下の式（１）を満足することを特徴とする合わせガラス。
【数１】
2018193299.tif 000008
但し、ｔは合わせガラスの厚さ、Ｒは合わせガラスの局所曲率半径、ｎは合わせガラスの屈折率、φは合わせガラスに入射する光線の局所入射角、ηは透視二重像の目標角度であり前記少なくとも一部の領域の各点の１点以上で０＜｜η｜となる値であって−９＜η＜９［分］、δｃは楔角の補正値であり０．０５＜δｃ＜０．３［ｍｒａｄ］、δｉは中間膜の楔角でありδｉ≦０．２［ｍｒａｄ］、である。
【請求項３】
第１のガラス板と、第２のガラス板と、前記第１のガラス板と前記第２のガラス板との間に位置して前記第１のガラス板と前記第２のガラス板とを接着する中間膜と、を備えた合わせガラスであって、
ヘッドアップディスプレイで使用する第１領域と、前記第１領域に隣接するヘッドアップディスプレイで使用しない第２領域と、を有し、
前記第１のガラス板と前記第２のガラス板の一方又は双方は楔状のガラスであり、
前記第２領域の少なくとも一部の領域は、カメラを搭載するために黒セラミックで囲まれた領域であり、
前記黒セラミックで囲まれた領域の各点において、前記第１のガラス板の楔角と前記第２のガラス板の楔角とを合算した楔角δｇが０．３［ｍｒａｄ］以上１．２［ｍｒａｄ］以下であり、以下の式（１）を満足することを特徴とする合わせガラス。
【数１】
2018193299.tif 000009
但し、ｔは合わせガラスの厚さ、Ｒは合わせガラスの局所曲率半径、ｎは合わせガラスの屈折率、φは合わせガラスに入射する光線の局所入射角、ηは透視二重像の目標角度であり前記少なくとも一部の領域の各点の１点以上で０＜｜η｜となる値であって−９＜η＜９［分］、δｃは楔角の補正値であり０．０５＜δｃ＜０．３［ｍｒａｄ］、δｉは中間膜の楔角でありδｉ≦０．２［ｍｒａｄ］、である。
【請求項４】
ηは前記少なくとも一部の領域の各点の１点以上で０＜｜η｜となる値であって−６＜η＜６［分］であることを特徴とする請求項１乃至３の何れか一項に記載の合わせガラス。
【請求項５】
ηは前記少なくとも一部の領域の各点の１点以上で０＜｜η｜となる値であって−３＜η＜３［分］であることを特徴とする請求項４に記載の合わせガラス。
【請求項６】
δｉ＝０［ｍｒａｄ］であることを特徴とする請求項１乃至５の何れか一項に記載の合わせガラス。
【請求項７】
前記第１のガラス板が車内側に位置し、楔状のガラスであることを特徴とする請求項１乃至６の何れか一項に記載の合わせガラス。
【請求項８】
前記第２のガラス板が車外側に位置し、楔状のガラスであることを特徴とする請求項１乃至７の何れか一項に記載の合わせガラス。
【請求項９】
０．０５＜δｃ＜０．２であることを特徴とする請求項１乃至８の何れか一項に記載の合わせガラス。
【請求項１０】
前記第１のガラス板及び前記第２のガラス板がともにフロートガラスであって筋目を有し、前記第１のガラス板と前記第２のガラス板の筋目が直交することを特徴とする請求項１乃至９の何れか一項に記載の合わせガラス。
【発明の詳細な説明】
【技術分野】
【０００１】
本発明は、合わせガラスに関する。
【背景技術】
【０００２】
近年、車両のフロントガラスに画像を反射させて運転者の視界に所定の情報を表示するヘッドアップディスプレイ（以下、ＨＵＤ）の導入が進んでいるが、運転者が車外の風景やＨＵＤにより表示された情報を視認するに際し、二重像が問題となる場合がある。
【０００３】
車両の運転者にとって問題となる二重像には透視二重像と反射二重像があり、フロントガラスにＨＵＤで使用するＨＵＤ表示領域と、ＨＵＤで使用しないＨＵＤ表示外領域（透視領域）がある場合には、ＨＵＤ表示領域では透視二重像が問題となることもあるが、概ね反射二重像が主たる問題となり、ＨＵＤ表示外領域で透視二重像が問題となる。
【０００４】
このような反射二重像或いは透視二重像は、フロントガラスに楔状の合わせガラスを用いることで低減できることが知られている。例えば、２枚のガラス板で中間膜を挟み、全体として楔状とした合わせガラスが提案されている（例えば、特許文献１参照）。
【先行技術文献】
【特許文献】
【０００５】
【特許文献１】特許平０７−１７５００７号公報
【発明の概要】
【発明が解決しようとする課題】
【０００６】
ところで、楔状の合わせガラスを用いる場合には、合わせガラスの厚み変化、すなわち楔角を適切に制御することが必要となる。
【０００７】
合わせガラスを構成する中間膜に楔角をつける場合には、中間膜がビニル材料の一種であり、一般的にガラスより柔らかい材質であるため、中間膜加工や合わせガラス製造工程での加熱や圧着により、膜の厚さに影響が出やすい。従って、合わせガラスの中間膜の楔角を剛体のように制御することは難しい。
【０００８】
中間膜の楔角は、例えば、保存中の湿度や温度等の変化によっても変化する。又、合わせガラスを圧着する時に、内外のガラスによって厚み方向に押しつけられたり引っ張られたりするため、特に、厚みが大きくなるフロントガラスの上辺や、楔角が大きい場合には厚みが薄い部分に比べて影響が大きく、又、黒セラミック近辺では楔角の変化が顕著となる。このため、楔中間膜を取扱う際は、きめ細やかな条件管理が必要となっている。
【０００９】
これに対して、ガラスは中間膜に比べて硬く、一度形状を作ってしまえば楔角が変化しづらいため、合わせガラスを構成するガラスに楔角をつける場合には、中間膜に楔角をつける場合と比べると、合わせガラス製造時の中間膜の変形及び条件管理等を過度に考慮しなくても済む点で好適である。しかしながら、従来の技術では、合わせガラスにおいて、ガラスの楔角をどのように決定するべきかについては十分に検討されていなかった。
【００１０】
本発明は、上記の点に鑑みてなされたものであり、透視二重像を低減する好適な楔角を有するガラスを備えた合わせガラスを提供することを課題とする。
【課題を解決するための手段】
【００１１】
本合わせガラスは、第１のガラス板と、第２のガラス板と、前記第１のガラス板と前記第２のガラス板との間に位置して前記第１のガラス板と前記第２のガラス板とを接着する中間膜と、を備えた合わせガラスであって、ヘッドアップディスプレイで使用する第１領域と、前記第１領域に隣接するヘッドアップディスプレイで使用しない第２領域と、を有し、前記第１のガラス板と前記第２のガラス板の一方又は双方は楔状のガラスであり、前記第２領域の少なくとも一部の領域は、ＪＩＳ規格Ｒ３２１２で規定する試験領域Ａに相当する領域であり、前記試験領域Ａに相当する領域の各点において、前記第１のガラス板の楔角と前記第２のガラス板の楔角とを合算した楔角δｇが０．３［ｍｒａｄ］以上１．２［ｍｒａｄ］以下であり、所定の式を満足することを要件とする。
【発明の効果】
【００１２】
開示の技術によれば、透視二重像を低減する好適な楔角を有するガラスを備えた合わせガラスを提供できる。
【図面の簡単な説明】
【００１３】
【図１】二重像の概念について説明する図である。
【図２】車両用のフロントガラスについて説明する図である。
【図３】図２のＸＺ平面に平行な部分断面図である。
【図４】実施例及び比較例の合わせガラスの透視二重像の測定結果を示す図である。
【図５】圧着前後の楔角の変化を示す図である。
【発明を実施するための形態】
【００１４】
以下、図面を参照して発明を実施するための形態について説明する。各図面において、同一構成部分には同一符号を付し、重複した説明を省略する場合がある。なお、ここでは、車両用のフロントガラスを例にして説明するが、これには限定されず、本実施の形態に係るガラスは、車両用のフロントガラス以外にも適用可能である。
【００１５】
［反射二重像、透視二重像］
まず、反射二重像と透視二重像の概念について説明する。図１は、二重像の概念について説明する図であり、図１（ａ）は反射二重像、図１（ｂ）は透視二重像を示している。なお、図１において、フロントガラス２０を搭載する車両の前後方向をＸ、車両の左右方向をＹ、ＸＹ平面に垂直な方向をＺとしている（以降の図も同様）。
【００１６】
図１（ａ）に示すように、ＨＵＤの光源１０から出射された光線１１ａの一部は、車両のフロントガラス２０の内面２１で反射されて光線１１ｂ（１次ビーム）として運転者の眼３０に導かれ、フロントガラス２０前方に像１１ｃ（虚像）として運転者に視認される。
【００１７】
又、ＨＵＤの光源１０から出射された光線１２ａの一部は、車両のフロントガラス２０の内面２１から内部に侵入して屈折し、その一部が外面２２で反射される。そして、更にその一部が内面２１から車両のフロントガラス２０の外部に出て屈折し光線１２ｂ（２次ビーム）として運転者の眼３０に導かれ、像１２ｃ（虚像）として運転者に視認される。なお、フロントガラス２０の厚さは一定であり、内面２１と外面２２とは平行である。
【００１８】
このように、運転者に視認される２つの像１１ｃと像１２ｃが反射二重像である。又、光線１１ｂ（１次ビーム）と光線１２ｂ（２次ビーム）とがなす角度が反射二重像の角度αである。反射二重像の角度αはゼロに近いほど好ましい。
【００１９】
又、図１（ｂ）に示すように、光源４０から出射された光線４１ａの一部は、車両のフロントガラス２０の外面２２から内部に侵入して屈折する。そして、その一部が内面２１からフロントガラス２０の外部に出て光線４１ｂとして運転者の眼３０に導かれ、像４１ｃとして運転者に視認される。
【００２０】
又、光源４０から出射された光線４２ａの一部は、車両のフロントガラス２０の外面２２から内部に侵入して屈折し、その一部が内面２１で反射される。そして、更にその一部が外面２２で反射され、更にその一部が屈折して内面２１からフロントガラス２０の外部に出て屈折し光線４２ｂとして運転者の眼３０に導かれ、像４２ｃとして運転者に視認される。
【００２１】
このように、運転者に視認される２つの像４１ｃと像４２ｃが透視二重像である。又、光線４１ｂ（１次ビーム）と光線４２ｂ（２次ビーム）とがなす角度が透視二重像の角度ηである。尚、ηは上向きに出現した場合を正、下向きに出現した場合を負と定義する。透視二重像の角度ηはゼロに近いほど好ましい。
【００２２】
［フロントガラス（合わせガラス）］
図２は、車両用のフロントガラスを例示する図であり、フロントガラスを車両前方から視認した様子を模式的に示した図である。又、図３は、図２のＸＺ平面に平行な部分断面図である。なお、図２において、便宜上、ＨＵＤ表示領域Ａを梨地模様で示している。
【００２３】
図２に示すように、フロントガラス２０は、ＨＵＤで使用するＨＵＤ表示領域Ａと、ＨＵＤで使用しないＨＵＤ表示外領域Ｂ（透視領域）とを有している。ＨＵＤ表示領域Ａは、フロントガラス２０の下方に位置しており、ＨＵＤ表示外領域ＢはＨＵＤ表示領域Ａに隣接してフロントガラス２０のＨＵＤ表示領域Ａよりも上方に位置している。Ｃは、ＨＵＤ表示領域ＡとＨＵＤ表示外領域Ｂとの境界である。なお、ＨＵＤ表示領域Ａは本発明に係る第１領域の代表的な一例であり、ＨＵＤ表示外領域Ｂは本発明に係る第２領域の代表的な一例である。
【００２４】
図３（ａ）に示すように、フロントガラス２０は、第１のガラス板であるガラス板２１０と、第２のガラス板であるガラス板２２０と、中間膜２３０とを備えた合わせガラスである。
【００２５】
この合わせガラスにおいて、ガラス板２１０は、製造時の延伸により生じる筋目を有する厚さが一定のガラス板である。これに対して、ガラス板２２０は、一端から対向する他端に至るに従って厚さが変化し、かつ製造時の延伸により生じる筋目を有する。中間膜２３０は、ガラス板２１０とガラス板２２０との間に位置し、ガラス板２１０の筋目とガラス板２２０の筋目が例えば直交するようにガラス板２１０とガラス板２２０とを接着する厚さが一定の膜である。
【００２６】
このように、ガラス板２２０は、断面視楔状に形成されている。ガラス板２２０において、フロントガラス２０の外面２２となる面と、中間膜２３０と接する面とのなす角を楔角δｇと称する。楔角δｇは、Ｚ方向の位置に対応して任意の値をとることができる。フロントガラス２０の外面２２となる面と、中間膜２３０と接する面とが平行となる領域が存在しても構わない。楔角δｇの好適な決定方法については、後述する。なお、ガラス板２１０及び中間膜２３０の厚さは均一であるから、楔角δｇは、フロントガラス２０の内面２１と外面２２とのなす角であるともいえる。
【００２７】
又、ガラス板２１０の一方の面であるフロントガラス２０の内面２１と、ガラス板２２０の一方の面であるフロントガラス２０の外面２２とは、平面であっても湾曲面であって構わない。フロントガラス２０は、例えば、垂直方向に湾曲した形状とすることができる。なお、ｔは、フロントガラス２０の局部的な厚さ（その部分におけるガラス板２１０、ガラス板２２０、及び中間膜２３０の合計の厚さ）を示している。
【００２８】
ガラス板２２０のように一端から対向する他端に向かって厚さが変化するガラスは、フロート法によって製造する際の条件を工夫することで得られる。すなわち溶融金属上を進行するガラスリボンの両端部に配置された複数のロールの周速度を調整することで、幅方向のガラス断面を凹形状や凸形状、或いはテーパー形状とし、任意の厚み変化を持つ箇所を切り出せばよい。
【００２９】
ガラス板２１０にはガラス板２２０と同じくフロート法を用い、厚さが一定のものを用いるが、図３（ｂ）に示すように、ガラス板２１０を一端から対向する他端に至るに従って厚さが変化する断面視楔状としてもよい。この場合、ガラス板２１０及び２２０の楔角を合算したものが楔角δｇとなる。ガラス板２１０及び２２０の夫々の楔角は同一であってもよいし、異なっていてもよい。
【００３０】
又、中間膜２３０の厚さは一定であるとしたが、フロントガラス２０の楔角の主要な部分をガラス板２１０及び２２０の一方又は双方で形成していれば、中間膜２３０が断面視楔状であっても構わない。中間膜２３０が断面視楔状である場合の好適な楔角については後述する。
【００３１】
ガラス板２１０及び２２０はそれぞれフロート法による製造時の延伸により、進行方向に対して並行に筋状の細かな凹凸が入る（筋目）。車両用のフロントガラスとして用いる際、この筋目を観察者の視線に対して水平方向に見ると、歪が発生し視認性が悪化する。
【００３２】
ガラス板２１０とガラス板２２０とを接着する中間膜２３０としては熱可塑性樹脂が多く用いられ、例えば、可塑化ポリビニルアセタール系樹脂、可塑化ポリ塩化ビニル系樹脂、飽和ポリエステル系樹脂、可塑化飽和ポリエステル系樹脂、ポリウレタン系樹脂、可塑化ポリウレタン系樹脂、エチレン−酢酸ビニル共重合体系樹脂、エチレン−エチルアクリレート共重合体系樹脂等の従来からこの種の用途に用いられている熱可塑性樹脂が挙げられる。
【００３３】
これらの中でも、透明性、耐候性、強度、接着力、耐貫通性、衝撃エネルギー吸収性、耐湿性、遮熱性、及び遮音性等の諸性能のバランスに優れたものを得られることから、可塑化ポリビニルアセタール系樹脂が好適に用いられる。これらの熱可塑性樹脂は、単独で用いてもよいし、２種類以上を併用してもよい。上記可塑化ポリビニルアセタール系樹脂における「可塑化」とは、可塑剤の添加により可塑化されていることを意味する。その他の可塑化樹脂についても同様である。
【００３４】
上記ポリビニルアセタール系樹脂としては、ポリビニルアルコール（以下、必要に応じて「ＰＶＡ」と言うこともある）とホルムアルデヒドとを反応させて得られるポリビニルホルマール樹脂、ＰＶＡとアセトアルデヒドとを反応させて得られる狭義のポリビニルアセタール系樹脂、ＰＶＡとｎ−ブチルアルデヒドとを反応させて得られるポリビニルブチラール樹脂（以下、必要に応じて「ＰＶＢ」と言うこともある）等が挙げられ、特に、透明性、耐候性、強度、接着力、耐貫通性、衝撃エネルギー吸収性、耐湿性、遮熱性、及び遮音性等の諸性能のバランスに優れることから、ＰＶＢが好適なものとして挙げられる。なお、これらのポリビニルアセタール系樹脂は、単独で用いてもよいし、２種類以上を併用してもよい。
【００３５】
通常ＨＵＤの光源は車室内下方に位置し、そこから合わせガラスに向かって投影される。投影像はガラスの裏面と表面で反射されるため、両反射像を重ね合わせるためには、ガラスの厚みは投影方向に対して平行に変化することが必要である。ガラス板２１０は筋目と直交する方向に厚さが変化しているため、情報が投影されるガラスとして用いられるためには、筋目方向が投影方向と直交、すなわち筋目が車室内観察者の視線と水平方向となり、視認性が悪化する方向で使用しなければならない。
【００３６】
視認性を改善するために、ガラス板２１０、ガラス板２２０、中間膜２３０を用いて作製された合わせガラスは、ガラス板２１０とガラス板２２０の筋目が直交するように配置される。この配置によりガラス板２１０単独では悪化した歪が、筋目が直交するガラス板２２０、ならびにガラス板２１０とガラス板２２０を接着する中間膜２３０の存在によって緩和され、視認性が改善される。
【００３７】
更に、車両用のガラスは通常湾曲形状となった状態で使われる。ガラスの成形は、各々のガラス板が中間膜２３０を介して接着される前にガラスが軟化する大凡５５０℃から７００℃程度に熱しながら任意の形状とするのが一般的である。湾曲の程度は最大曲げ深さ、或いはダブり値として記される。ここで、最大曲深さ（ダブリ値）は、凸状に湾曲している合わせガラスを凸部側が下向きとなるように配置するとともに、この合わせガラスにおける一対の対向する長辺の中点どうしを結ぶように直線を引いたとき、湾曲部の底部における最も深い点から該直線に引いた垂線の長さをｍｍ単位で表したものである。
【００３８】
合わせガラスとした際に歪の原因となる表面に生じた筋状の細かな凹凸は、成形工程によって引き延ばされるため、最大曲げ深さ（ダブり値）が大きいほど視認性が良化する。本発明におけるガラス板２１０、ガラス板２２０の最大曲げ深さは必ずしも限定されないが、１０ｍｍ以上が好ましく、１２ｍｍ以上がより好ましく、１５ｍｍ以上が更に好ましい。
【００３９】
［好適な楔角］
まず、実験を行った。実験では、図３（ａ）に示すように、ガラス板２２０を楔ガラスとし、ガラス板２１０と中間膜２３０とを一定厚とした合わせガラスを作製した（実施例）。又、比較用として、ガラス板２１０及び２２０を一定厚とし、中間膜２３０を楔膜とした合わせガラスを作製した（比較例）。
【００４０】
次に、作製した合わせガラス（実施例及び比較例）の透視二重像のＺ方向（図２参照）の変化を測定した。結果を図４及び表１に示す。なお、図４の横軸は「ガラス下辺を原点とした場合の、原点からのガラス上に沿った距離」である。図４及び表１により、実施例と比較例とを比べると、比較例ではＺ方向の６００ｍｍを超える付近から透視二重像が特に悪化する傾向がみられた。
【００４１】
【表１】
2018193299.tif 000003
図４及び表１の結果から、フロントガラス２０の楔角の主要な部分をガラス板２１０及び２２０の一方又は双方で形成し、中間膜２３０の楔角は一定値以下とすることが好ましいと考えられる（結果１）。
【００４２】
次に、実施例の楔ガラス（ガラス板２２０）の圧着前（合わせガラスにする前）の楔角と、圧着後（合わせガラスにした後）の合わせガラス全体の楔角を測定した。結果を図５に示す。但し、圧着後の楔角は透視二重像を測定した値を逆算して求めたものである。
【００４３】
図５に示すように、圧着前と圧着後では楔角が変化している。楔ガラス（ガラス板２２０）の楔角は圧着前後で変化しないと考えられるため、変化は中間膜２３０の楔角（圧着前はゼロである）が変化（増加）したものと考えられる。
【００４４】
図５の結果から、中間膜２３０の楔角は圧着前後で変化するため、圧着時の変化分（増加分）を見込んで、楔ガラスの楔角を予め小さめに設定しておくことが好ましいと考えられる（結果２）。
【００４５】
発明者らは、上記の結果１及び２を考慮して、ＨＵＤ表示外領域Ｂにおける好適なガラス板２１０及び２２０の楔角δｇの決定方法を導いた。すなわち、ＨＵＤ表示外領域Ｂの少なくとも一部の領域の各点において、以下の式（１）を満足する楔角δｇを適用することにより、透視二重像を低減する好適な楔角を有する合わせガラスを実現できる。なお、式（１）のδｇは、ガラス板２１０の楔角とガラス板２２０の楔角とを合算したものであり、何れか一方のガラス板の楔角が０であってもよい。
【００４６】
ガラス板２１０及び２２０の楔角δｇは、例えば、フロントガラス２０のＨＵＤ表示領域Ａを含む垂直線上の各点において、式（１）を使用して決定される。但し、楔角δｇは、例えば、フロントガラス２０の水平方向に連続的に変化するように、式（１）を使用して決定してもよい。
【００４７】
【数１】
2018193299.tif 000004
但し、ｔは合わせガラスであるフロントガラス２０の厚さ、Ｒはフロントガラス２０の局所曲率半径、ｎはフロントガラス２０の屈折率、φはフロントガラス２０に入射する光線の局所入射角である。又、ηは透視二重像の目標角度、δｃは楔角の補正値、δｉは中間膜２３０の楔角である。なお、透視二重像の目標角度の単位には［分］、楔角の補正値及び中間膜２３０の楔角の単位には［ｍｒａｄ］を用いるのが通例である。
【００４８】
前述のように、中間膜２３０の楔角δｉを適切に制御するには、きめ細かな条件管理を必要とする。しかし、合わせガラスの楔角の主要な部分をガラス板２１０及び２２０の楔角δｇで形成し、中間膜２３０の楔角δｉを小さな値に抑えれば、中間膜２３０の楔角δｉの制御性については問題とはならない。この場合の、ガラス板２１０及び２２０の楔角δｇと中間膜２３０の楔角δｉとを合算したものが合わせガラス全体の楔角である。
【００４９】
更に、圧着時の変化分（増加分）を見込んで、予め楔角の補正値δｃを減算しておくことにより、特にガラス高さが高くなる方向における透視二重像の増加を抑制することができる。
【００５０】
なお、例えば『特許第５３１５３５８号』に記載されているように、透視二重像の角度は、式（２）に従って、曲率半径と光線の入射角とに応じて計算することができる。又、曲率半径Ｒｃと入射角φを有する二重像を除去するために必要な楔角δは、式（３）に従って計算することができる。式（１）は、式（２）及び（３）に基づいて、発明者らが更に検討（図４及び図５に示した検討を含む）を重ね、導いたものである。
【００５１】
【数２】
2018193299.tif 000005
【００５２】
【数３】
2018193299.tif 000006
次に、式（１）におけるη、δｃ、及びδｉの好適な値について説明する。
【００５３】
ηはＨＵＤ表示外領域Ｂの少なくとも一部の領域の１点以上で０＜｜η｜となる値であり（すなわち、ＨＵＤ表示外領域Ｂの全点でη＝０となることはない）、−９＜η＜９［分］であることが好ましい。又、−６＜η＜６［分］であることが更に好ましく、−３＜η＜３［分］であることが最も好ましい。
【００５４】
この値は、目視での不快感という観点からηの値を分析した結果に基づくものであり、−９＜η＜９［分］であれば市場において殆ど問題とはならない。−６＜η＜６［分］、−３＜η＜３［分］とすることで、更に問題の生じるおそれが低減される。
【００５５】
δｉは、０．５［ｍｒａｄ］を超えると、楔角の制御の困難性の問題が生じ始めるため、δｉ≦０．５［ｍｒａｄ］とすることが好ましい。又、楔角の制御の困難性の問題を、より確実に回避するため、δｉ≦０．２［ｍｒａｄ］とすることが更に好ましい。
【００５６】
δｃの好適な値は実験的に求めた。発明者らがδｃの好適な値を検討したところ、δｃを０．０５［ｍｒａｄ］以下とすると、圧着時の中間膜の変形により楔角が増加し、透視二重像が増加することがわかった。又、δｃを０．３［ｍｒａｄ］以上とすると、中間膜の保存中に生じる厚みの変化により、透視二重像が増加することがわかった。従って、０．０５＜δｃ＜０．３［ｍｒａｄ］であることが好ましく、０．０５＜δｃ＜０．２［ｍｒａｄ］であることが更に好ましい。式（１）において、δｃを減算することにより、比較例ばかりでなく、実施例の場合にも透視二重像を更に低減することができる。
【００５７】
なお、フロントガラス２０の周縁部は、二重像や透視歪等の欠陥回避に関して、中央部（フロントガラス２０の周縁部を除く領域）よりも重要性が劣る。そこで、ＨＵＤ表示外領域Ｂのうち、フロントガラス２０の周縁部を除く領域の各点において、楔角δｇが式（１）を満足するようにしてもよい。この場合、中央部よりも重要性が劣るフロントガラス２０の周縁部においては、楔角δｇを任意の値とすることができる。フロントガラス２０の周縁部を除く領域とは、例えば、ＪＩＳ規格Ｒ３２１２で規定する試験領域Ｂや、試験領域Ｂの更に内側に位置する試験領域Ａに相当する領域である。
【００５８】
つまり、本実施の形態において、ＨＵＤ表示外領域Ｂの少なくとも一部の領域とは、例えば、ＪＩＳ規格Ｒ３２１２で規定する試験領域Ａや試験領域Ｂに相当する領域である。
【００５９】
又、フロントガラスの上方等に車外の情報を取得する等の目的でカメラを搭載する場合があるが、カメラを搭載する領域は一般に黒セラミック（接着剤等を塗布する領域）で囲まれる。黒セラミックとガラスとの境界部分では楔角の変化が顕著となって中間膜の条件管理が難しくなるため、カメラを搭載するために黒セラミックで囲まれた領域では、楔角δｇが式（１）を満足していることが好ましい。カメラが取得する画像の透視二重像を低減するためである。
【００６０】
つまり、本実施の形態において、ＨＵＤ表示外領域Ｂの少なくとも一部の領域とは、例えば、カメラを搭載するために黒セラミックで囲まれた領域である。
【００６１】
このように、本実施の形態では、ＨＵＤ表示外領域Ｂの少なくとも一部の領域の各点において、中間膜２３０の楔角を０又は小さな値（０．５［ｍｒａｄ］以下）に制限し、ガラス板２１０及び２２０が負担する楔角を大きくする。これにより、中間膜の楔角制御性の問題の発生を抑制し、かつ、透視二重像を低減する好適な楔角を有する合わせガラスを実現できる。
【００６２】
具体的には、式（１）を満たすように、ガラス板２１０及び２２０の楔角δｇを決定することにより、中間膜の楔角制御性の問題の発生を抑制し、透視二重像を低減する好適な楔角を有する合わせガラスを実現できる。特に、合わせガラスの厚みが大きくなる上辺部（図４及び図５においてガラス高さが高い側）での透視二重像の悪化を防止できる。
【００６３】
なお、以上はＨＵＤ表示外領域Ｂの透視二重像について説明したが、ＨＵＤ表示領域Ａの反射二重像を低減するためには、ガラス板２１０及び２２０の楔角δｇを０．１［ｍｒａｄ］以上１．２［ｍｒａｄ］以下とすることが好ましい。
【００６４】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【００６５】
１０、４０  光源
１１ａ、１１ｂ、１２ａ、１２ｂ、４１ａ、４１ｂ、４２ａ、４２ｂ  光線
１１ｃ、１２ｃ、４１ｃ、４２ｃ  像
２０  フロントガラス
２１  内面
２２  外面
３０  眼
２１０、２２０  ガラス板
２３０  中間膜
Ａ  ＨＵＤ表示領域
Ｂ  ＨＵＤ表示外領域
Ｃ  境界
【図１】
2018193299.tif 000010
【図２】
2018193299.tif 000011
【図３】
2018193299.tif 000012
【図４】
2018193299.tif 000013
【図５】
2018193299.tif 000014